(57)【特許請求の範囲】
【請求項１】
戸パネル（２）が、ガイドレール（１）に組込んだ吊車型のランナー（３）で開閉自在に案内支持してある引き戸の自閉装置であって、
自閉装置は、戸パネル（２）に凹み形成したばね装着凹部（１０１）に装着されて戸パネル（２）を閉じ付勢する動力ユニット（２１）と、戸パネル（２）とガイドレール（１）のいずれか一方に収容されて、動力ユニット（２１）の閉じ付勢力に抗して戸パネル（２）の閉じ動作を制動するシリンダー型のエアーダンパー（２２）を備えており、
動力ユニット（２１）は、ワイヤードラム（２３）と、ワイヤードラム（２３）の胴部（３２）に巻込み収納されるワイヤー（２４）と、ワイヤードラム（２３）の胴部（３２）内に収容されて同ドラム（２３）をワイヤー巻込み方向へ回転付勢するぜんまいばね（２５）と、ワイヤードラム（２３）を収容するドラムケース（２６）と、ドラムケース（２６）に固定されてワイヤードラム（２３）を回転自在に軸支するドラム軸（２７）で構成されており、
ドラムケース（２６）は、ワイヤードラム（２３）の前後面を覆う金属板材で形成した一対のケース枠（５７）を主たる耐力構造体にして構成されており、
ドラムケース（２６）が、一対のケース枠（５７）と、両ケース枠（５７）の間に固定した上キャップ体（５８）および下キャップ体（５９）で構成されており、
ドラムケース（２６）の下キャップ体（５９）と、ばね装着凹部（１０１）のいずれか一方に弾性係合体（１０２）が設けられ、他方に弾性係合体（１０２）と係合する装着座（７６）が設けられており、
ドラムケース（２６）を戸パネル（２）の外方からばね装着凹部（１０１）に組むことにより、装着座（７６）と弾性係合体（１０２）を圧嵌係合して、動力ユニット（２１）がばね装着凹部（１０１）に固定してあることを特徴とする引き戸の自閉装置。
【請求項２】
戸パネル（２）は木質系であり、該戸パネル（２）の厚み寸法は２８ｍｍから３２ｍｍに設定されており、
動力ユニット（２１）の全厚寸法（Ｗ）が１８ｍｍから２２ｍｍに設定されている、請求項１に記載の引き戸の自閉装置。
【請求項３】
ケース枠（５７）が、ワイヤードラム（２３）の前後面を覆う主面壁（６０）と、主面壁（６０）に連続して折曲げられる左右一対の側壁（６１）を備えており、
一対のケース枠（５７）と、両ケース枠（５７）で挟持した上キャップ体（５８）および下キャップ体（５９）を締結固定した状態において、前後のケース枠（５７）の側壁（６１）同士が接当している請求項１または２に記載の引き戸の自閉装置。
【請求項４】
動力ユニット（２１）から繰り出したワイヤー（２４）の操出し端にリング状の掛止部（２４ａ）が形成されており、
ガイドレール（１）に締結した取付け金具（４６）のフック部（４６ａ）に掛止部（２４ａ）が連結してある請求項１から３のいずれかひとつに記載の引き戸の自閉装置。
【請求項５】
ぜんまいばね（２５）はＳ字ぜんまいばねで形成されており、
Ｓ字ぜんまいばねの自由状態時の巻姿とは逆向きにばね体をドラム軸（２７）に巻込んで、ぜんまいばね（２５）が胴部（３２）内に渦巻き状に巻装してある請求項１から４のいずれかひとつに記載の引き戸の自閉装置。
【請求項６】
ケース枠（５７）の側壁（６１）の上下に隣接して、主面壁（６０）から段落ち状に折曲げ形成した締結座（６２）が設けられており、
上キャップ体（５８）の左右の上枠受部（６８）の前後面と、下キャップ体（５９）の下枠受部（７５）の前後面の左右のそれぞれに、前記締結座（６２）を受止める締結凹部（７２）が凹み形成されて、締結凹部（７２）の間に前後貫通状のビス挿通穴（７３）が形成されており、
前後のケース枠（５７）と上キャップ体（５８）および下キャップ体（５９）は、前記締結座（６２）とビス挿通穴（７３）に挿通したビス（８１）とナット（８２）で締結固定されており、
締結状態における前記ビス（８１）の操作頭部とナット（８２）が、前記締結凹部（７２）内に収容されている請求項１から５のいずれかひとつに記載の引き戸の自閉装置。
【請求項７】
上キャップ体（５８）は、前後一対のケース枠（５７）で挟持される左右一対の上枠受部（６８）と、両上枠受部（６８）の上部どうしを接続する橋絡部（６９）を備えており、
上キャップ体（５８）の左右の上枠受部（６８）の間がワイヤー繰出し窓（７１）として開口されており、
ワイヤーロープ（２４）はドラム本体（３０）の胴部（３２）に巻装されて、部分円弧状のワイヤー巻装面の上周面がワイヤー繰出し窓（７１）内に露出させてある請求項１から６のいずれかひとつに記載の引き戸の自閉装置。
【請求項８】
ガイドレール（１）の内部にシリンダー型のエアーダンパー（２２）が配置されており、
エアーダンパー（２２）はシリンダー本体（８８）とピストンロッド（８９）を備えていて、シリンダー本体（８８）が、戸パネル（２）の閉じ端側を支持するランナー（３）と、シリンダー本体（８８）の開放端側に設けたローラー（９１）で支持されて、前記ランナー（３）と同行移動可能に連結されており、
ピストンロッド（８９）は、戸パネル（２）の閉じ端側を支持するランナー（３）のローラー枠（１６）を左右に貫く状態で配置されて、その突端とガイドレール（１）の閉じ端との間に、戸パネル（２）が閉じ位置から開放途中位置まで開放移動するとき、ピストンロッド（８９）を移動不能に吸着保持する磁石連結具（９３）が設けられており、
動力ユニット（２１）が、戸パネル（２）の開放端側を支持するランナー（３）の近傍に設けたばね装着凹部（１０１）に装着されて、ドラムケース（２６）から繰り出したワイヤー（２４）の端部がガイドレール（１）の中途部に固定されており、
前記ローラー（９１）の開放端側に、ワイヤー（２４）を受止めるガイドプーリー（９６）が配置してある請求項１から７のいずれかひとつに記載の引き戸の自閉装置。
【請求項９】
戸パネル（２）に凹み形成したダンパー装着部（１１５）にシリンダー型のエアーダンパー（２２）が配置されており、
エアーダンパー（２２）のシリンダー本体（８８）はダンパー装着部（１１５）に固定されて、ピストンロッド（８９）が戸パネル（２）の閉じ端に向かって突出させてあり、
ピストンロッド（８９）には、ガイドレール（１）で転動案内されるロッドランナー（１１７）が連結されており、
ロッドランナー（１１７）とガイドレール（１）の中途部との間に、戸パネル（２）が閉じ位置から開放途中位置まで開放移動するとき、ピストンロッド（８９）を移動不能に吸着保持する磁石連結具（９３）が設けられており、
動力ユニット（２１）が、戸パネル（２）の開放端側を支持するランナー（３）の近傍に設けたばね装着凹部（１０１）に装着されて、ドラムケース（２６）から繰り出したワイヤー（２４）の端部がガイドレール（１）の中途部に固定されており、
前記ロッドランナー（１１７）の開放端側に、ワイヤー（２４）を受止めるガイドプーリー（９６）が配置してある請求項１から７のいずれかひとつに記載の引き戸の自閉装置。
【発明の詳細な説明】
【技術分野】
【０００１】
本発明は、任意位置まで開放した戸パネルをぜんまいばねの張力で閉じ操作しながら、エアーダンパーで制動してゆっくりと閉止する引き戸の自閉装置に関する。
【背景技術】
【０００２】
本出願人は、エアーダンパーとぜんまいばねを備えている引き戸の自閉装置を先に提案している（特許文献１）。そこでは、戸パネルを閉じ操作する定荷重ばねユニットと、同ユニットの張力に抗して戸パネルを制動するエアーシリンダーと、エアーシリンダーの移動範囲を規定するストッパーなどで自閉装置を構成している。エアーシリンダーは、戸パネルの上面両側に設けたランナー（吊車）の間に配置されてガイドレールで往復変位可能に支持されており、側面から見るときのエアーシリンダーの外郭線がランナーの移動軌跡と重なっている。
【０００３】
特許文献１の自閉装置では、定荷重ばねユニットとエアーシリンダーをガイドレールの内部に収容し、さらに、戸パネルの上面両側に設けたランナーをガイドレールで走行案内する。そのため、ガイドレールの上下寸法が大きくなるうえ、レールの前後壁にエアーシリンダーをスライド案内するガイドリブを設ける必要があるため、ランナーのみを走行案内する断面Ｃ字形の汎用型のガイドレールに比べて、レール構造が特殊化しコストが嵩んでしまう。
【０００４】
特許文献２の引戸装置においては、引き戸引き込み手段（ぜんまいばねユニット）とエアーシリンダー型のダンパーを、戸車型の戸パネルの上面の凹部に埋設している。このような自閉装置の埋設構造を吊車型の引戸の戸パネルに適用すると、引戸引き込み手段およびダンパーを戸パネルの外郭線内に収めることができるので、吊車構造のランナーを断面Ｃ字形の汎用型のガイドレールで走行案内できる。
【０００５】
本発明に関して、ユニット部品化した引き戸クローザーを、戸パネルの上部の埋設空間に装着することが特許文献３に開示されている。そこでは、ぜんまいユニットと、ダンパーユニットと、調速手段と、これらの部材を収容する筐体などで引き戸クローザーをユニット部品化している。ぜんまいユニットは、ワイヤープーリーと、その内部に収容される渦巻き状のぜんまいばねと、ワイヤープーリーに巻込まれたワイヤーなどで構成してある。ダンパーユニットは、ダンパープーリーと、同プーリーに隣接配置したオイルダンパーとで構成してあり、ワイヤープーリーから繰出したワイヤーの中途部が、ダンパープーリーの周面に複数回巻掛けてある。
【０００６】
また、特許文献３においては、ワイヤープーリーの厚みの範囲内に、ぜんまいばねと調速手段を収容してクローザーを薄型化している。調速手段は、ぜんまいばねの初期張力を調整するために設けてあり、ぜんまい軸を時計回転方向へ締めこむことにより、ぜんまいばねの初期張力を増加できる。さらに、特許文献３においては、引き戸クローザーを戸パネルの埋設空間に差し込み装着するだけで、同クローザーを分離不能にロック保持できるようにしている。詳しくは、筺体の左右側壁に「へ」字状の板ばねを組んでおき、筺体が埋設空間に差し込み装着された状態において、板ばねを埋設空間の左右周面に設けたロック凹部に落込み係合させている。ワイヤーの繰出し端は開口枠の上枠に固定するが、戸パネルと開口枠の上枠の間の隙間からワイヤーが見えるのを避けるために、断面コ字形の枠体を先の上枠に固定し、その前後壁でワイヤーと戸パネルの上部の前後面を覆っている。
【先行技術文献】
【特許文献】
【０００７】
【特許文献１】特開２００４−０７６４３２号公報（段落番号００２４、図１）
【特許文献２】特開２００９−１３８４００号公報（段落番号００１５、図４）
【特許文献３】特開２００８−１４４４２１号公報（段落番号００１４、図２）
【発明の概要】
【発明が解決しようとする課題】
【０００８】
自閉装置が適用される戸パネルには、小型で軽量の木質系の戸パネルと、アルミニウムあるいはスチールを形成素材とする大型で重量の大きな金属系の戸パネルとがある。建材メーカーから市販されている木質系の戸パネルは、縦に長い長方形状の枠体と、枠体の内部に配置される芯材と、枠体および芯材の表裏に固定される表面材などで構成してあり、その厚み寸法は概ね２８〜３２ｍｍになっている。一方、市販されているぜんまいばねユニットの全厚寸法は３０ｍｍに達しており、そのため厚みが３６ｍｍ以上の専用の戸パネルでないと自閉装置を埋設することができず、自閉装置を備えた引戸のコストが嵩む。因みに、金属系の戸パネルの厚みは、木質系の戸パネルに比べて充分に大きいため、ぜんまいばねを動力源とする既存の自閉装置の全厚みが多少大きくても問題なく埋設することができる。
【０００９】
例えば、ぜんまいばねの幅寸法を小さくして、ぜんまいばねユニットの厚みを小さくすることは可能である。しかし、既存のぜんまいばねユニットを単にスケールダウンしても、ぜんまいばねの操出し始めと操出し終わりとでばね張力が極端に変わるため、戸パネルに作用する閉じ操作力を好適化できない。さらに、寿命が短い、組立て性が悪い、スケールダウンしているにもかかわらずコストが嵩む、ぜんまいばねを巻戻す際に騒音が発生するなど、解消すべき問題点が多すぎて、単にスケールダウンしただけのぜんまいばねユニットは、実用に供しえないのが実状である。
【００１０】
戸パネルに埋設されるクローザーを薄型化することに関して、特許文献３ではワイヤープーリーの厚みの範囲内に、ぜんまいばねと調速手段を収容している。しかし、筺体の内部に、回転するワイヤープーリーを余裕隙間のある状態で収容し、さらに、その内部にぜんまいばねと調速手段を収容する必要があるので、クローザー（筐体）の前後厚みを小さくすることに限界がある。
【００１１】
本発明者は、上記のような技術背景のもと、厚み寸法が小さな木質系の戸パネルにも広範に適用できる、薄型化され小型化された動力ユニット（ぜんまいばねユニット）の開発に取組んだ結果、本発明を提案するに至ったものである。
本発明の目的は、厚み寸法が小さな木質系の戸パネルにも広範に適用できる、薄型化され、さらに小型化された動力ユニットを備えた引戸の自閉装置を提供することにある。
本発明の目的は、動力ユニットの戸パネルに対する施工やメンテナンスを容易化できる引戸の自閉装置を提供することにある。
【課題を解決するための手段】
【００１２】
本発明に係る自閉装置は、戸パネル２が、ガイドレール１に組込んだ吊車型のランナー３で開閉自在に案内支持してある引き戸を適用対象とする。図４に示すように自閉装置は、戸パネル２に凹み形成したばね装着凹部１０１に装着されて戸パネル２を閉じ付勢する動力ユニット２１と、戸パネル２とガイドレール１のいずれか一方に収容されて、動力ユニット２１の閉じ付勢力に抗して戸パネル２の閉じ動作を制動するシリンダー型のエアーダンパー２２を備えている。図５に示すように動力ユニット２１は、ワイヤードラム２３と、ワイヤードラム２３の胴部３２に巻込み収納されるワイヤー２４と、ワイヤードラム２３の胴部３２内に収容されて同ドラム２３をワイヤー巻込み方向へ回転付勢するぜんまいばね２５と、ワイヤードラム２３を収容するドラムケース２６と、ドラムケース２６に固定されてワイヤードラム２３を回転自在に軸支するドラム軸２７で構成する。ドラムケース２６は、ワイヤードラム２３の前後面を覆う金属板材で形成した一対のケース枠５７を主たる耐力構造体にして構成する。ドラムケース２６は、一対のケース枠５７と、両ケース枠５７の間に固定した上キャップ体５８および下キャップ体５９で構成する。ドラムケース２６の下キャップ体５９と、ばね装着凹部１０１のいずれか一方に弾性係合体１０２を設け、他方に弾性係合体１０２と係合する装着座７６を設ける。ドラムケース２６を戸パネル２の外方からばね装着凹部１０１に組むことにより、装着座７６と弾性係合体１０２を圧嵌係合して、動力ユニット２１をばね装着凹部１０１に固定する。
戸パネル２は木質系とし、該戸パネル２の厚み寸法は２８ｍｍから３２ｍｍに設定する。動力ユニット２１の全厚寸法Ｗは１８ｍｍから２２ｍｍに設定する。
【００１３】
ケース枠５７は、ワイヤードラム２３の前後面を覆う主面壁６０と、主面壁６０に連続して折曲げられる左右一対の側壁６１を備えている。一対のケース枠５７と、両ケース枠５７で挟持した上キャップ体５８および下キャップ体５９を締結固定した状態において、前後のケース枠５７の側壁６１同士が接当する。
【００１５】
図１３に示すように、動力ユニット２１から繰り出したワイヤー２４の操出し端にリング状の掛止部２４ａを形成する。ガイドレール１に締結した取付け金具４６のフック部４６ａに掛止部２４ａを連結する。
【００１６】
ぜんまいばね２５は図４に示すＳ字ぜんまいばねで形成する。Ｓ字ぜんまいばねの自由状態時の巻姿とは逆向きにばね体をドラム軸２７に巻込んで、ぜんまいばね２５を胴部３２内に渦巻き状に巻装する。
【００１７】
ケース枠５７の側壁６１の上下に隣接して、主面壁６０から段落ち状に折曲げ形成した締結座６２を設ける。上キャップ体５８の左右の上枠受部６８の前後面と、下キャップ体５９の下枠受部７５の前後面の左右のそれぞれに、締結座６２を受止める締結凹部７２を凹み形成して、締結凹部７２の間に前後貫通状のビス挿通穴７３を形成する。前後のケース枠５７と上キャップ体５８および下キャップ体５９は、締結座６２とビス挿通穴７３に挿通したビス８１とナット８２からなるねじ構造で締結固定する。締結状態におけるビス８１の操作頭部とナット８２を、締結凹部７２内に収容する（図７参照）。
【００１８】
上キャップ体５８は、前後一対のケース枠５７で挟持される左右一対の上枠受部６８と、両上枠受部６８の上部どうしを接続する橋絡部６９を備えている。図１に示すように、上キャップ体５８の左右の上枠受部６８の間をワイヤー繰出し窓７１として開口する。ワイヤー２４はドラム本体３０の胴部３２に巻装されて、部分円弧状のワイヤー巻装面の上周面をワイヤー繰出し窓７１内に露出させる。
【００１９】
図４に示すようにガイドレール１の内部にシリンダー型のエアーダンパー２２を配置する。エアーダンパー２２はシリンダー本体８８とピストンロッド８９を備えている。シリンダー本体８８は、戸パネル２の閉じ端側を支持するランナー３と、シリンダー本体８８の開放端側に設けたローラー９１で支持されて、ランナー３と同行移動可能に連結されている。ピストンロッド８９は、戸パネル２の閉じ端側を支持するランナー３のローラー枠１６を左右に貫く状態で配置する（図３参照）。ピストンロッド８９の突端とガイドレール１の閉じ端との間に、戸パネル２が閉じ位置から開放途中位置まで開放移動するとき、ピストンロッド８９を移動不能に吸着保持する磁石連結具９３を設ける。動力ユニット２１は、戸パネル２の開放端側を支持するランナー３の近傍に設けたばね装着凹部１０１に装着する。ドラムケース２６から繰り出したワイヤー２４の端部をガイドレール１の中途部に固定する。ローラー９１の開放端側に、ワイヤー２４を受止めるガイドプーリー９６を配置する。
【００２０】
図１１に示すように、戸パネル２に凹み形成したダンパー装着部１１５にシリンダー型のエアーダンパー２２を配置する。エアーダンパー２２のシリンダー本体８８はダンパー装着部１１５に固定されて、ピストンロッド８９が戸パネル２の閉じ端に向かって突出させてある。ピストンロッド８９には、ガイドレール１で転動案内されるロッドランナー１１７が連結してある。ロッドランナー１１７とガイドレール１の中途部との間に、戸パネル２が閉じ位置から開放途中位置まで開放移動するとき、ピストンロッド８９を移動不能に吸着保持する磁石連結具９３を設ける。動力ユニット２１は、戸パネル２の開放端側を支持するランナー３の近傍に設けたばね装着凹部１０１に装着する。ドラムケース２６から繰り出したワイヤー２４の端部をガイドレール１の中途部に固定する。ロッドランナー１１７の開放端側に、ワイヤー２４を受止めるガイドプーリー９６を配置する。
【発明の効果】
【００２１】
本発明においては、自閉装置を構成する動力ユニット２１を、ワイヤードラム２３およびワイヤー２４と、ぜんまいばね２５と、ドラムケース２６と、ドラム軸２７で構成した。ドラムケース２６は、金属板材で形成した一対のケース枠５７を主たる耐力構造体にして構成し、動力ユニット２１の全厚寸法Ｗが１８ｍｍから２２ｍｍとなるようにした。こうした動力ユニット２１によれば、建材メーカーから市販されている厚み寸法が２８〜３２ｍｍの木質系の戸パネルに自閉装置を適用する場合に、動力ユニット２１を戸パネル２の上部のばね装着凹部１０１に問題なく収容できる。また、全厚寸法Ｗが１８ｍｍから２２ｍｍと薄型化された動力ユニット２１であるにもかかわらず、ばね幅が大きな市販されているぜんまいばねユニットと同等程度のばね特性を発揮して長期使用時の耐久性を確保できる。因みに、動力ユニット２１の全厚寸法Ｗが１８ｍｍ未満である場合には、ぜんまいばね２５のばね幅を小さくする必要があるため、比較的早期に耐荷重が低下して充分なばね特性を発揮できなくなり耐久性に問題がある。また、動力ユニット２１の全厚寸法Ｗが２２ｍｍを越えると、市販されている厚み寸法が小さな木質系の戸パネルに動力ユニット２１を埋設することができなくなり、厚みが大きな戸パネル２でないと自閉装置を適用できない点で制約がある。
【００２２】
主面壁６０と左右一対の側壁６１でケース枠５７を構成し、一対のケース枠５７と上キャップ体５８および下キャップ体５９を締結固定した状態において、前後のケース枠５７の側壁６１同士を接当させると、ドラムケース２６の構造強度を高めることができる。これは、主面壁６０と左右一対の側壁６１でケース枠５７を構成することにより、ケース枠５７の構造強度を向上できるうえ、ケース枠５７同士を締結した状態において、側壁６１の端縁同士が接当して突っ張り合うことにより、主面壁６０および側壁６１が変形するのを規制してドラムケース２６の構造強度を強化できるからである。
【００２３】
下キャップ体５９と、ばね装着凹部１０１のいずれか一方に弾性係合体１０２を設け、他方に装着座７６を設け、これら両者を圧嵌係合する施工形態によれば、装着座７６と弾性係合体１０２を圧嵌係合するだけで、動力ユニット２１を戸パネル２に固定できる。従って、動力ユニット２１を支持するためのブラケットやホルダーを別途設ける必要がなく、さらに、動力ユニット２１をブラケットやホルダーに固定する締結構造も省略できるので、施工やメンテナンスに要する手間と時間を節約できる。また、ばね装着凹部１０１は、小型化され薄型化された動力ユニット２１を収容できる大きさがあればよいので、戸パネル２に対して大掛かりな追加工を行う必要がない点でも有利である。
【００２４】
ワイヤー２４の操出し端に設けたリング状の掛止部２４ａを、ガイドレール１に締結した取付け金具４６のフック部４６ａに掛止連結すると、ワイヤー２４の操出し角度の違いに応じて、掛止部２４ａをフック部４６ａに対して傾動させることができる。従って、戸パネル２を閉じた状態において、ワイヤードラム２３の真上に取付け金具４６が配置してあったとしても、ワイヤー２４の取付け金具４６との連結端が屈折し変形するのを解消できる。また、施工時には、リング状の掛止部２４ａを取付け金具４６のフック部４６ａに掛止連結すればよいので、施工の手間を省くことができる。
【００２５】
Ｓ字ぜんまいばねでぜんまいばね２５を形成した動力ユニット２１によれば、通常の接触形ぜんまいばねに比べてより大きな張力を発揮できるので、ばね体の幅寸法を小さくして、動力ユニット２１の薄型化を促進できる。また、Ｓ字ぜんまいばねの自由状態時の巻姿とは逆向きにばね体をドラム軸２７に巻込んで、ぜんまいばね２５を胴部３２内に渦巻き状に巻装することにより、ばねが巻締まる場合、あるいはばねが拡張するときのばね張力を均一化して、戸パネル２の開放量の大小で閉じ操作力が極端に変わるのを解消できる。
【００２６】
ケース枠５７に締結座６２を段落ち状に設け、上キャップ体５８および下キャップ体５９に締結座６２を受止める締結凹部７２を凹み形成すると、これら三者をねじ構造で締結固定した状態において、ビス８１の操作頭部とナット８２を締結凹部７２内に収容できる。こうした動力ユニット２１によれば、ビス８１の操作頭部およびナット８２がケース枠５７の主面壁６０の表面に露出するのを避けて、動力ユニット２１の全厚寸法が大きくなるのを解消し、同ユニット２１の薄型化を促進できる。締結座６２とビス挿通穴７３に挿通したビス８１とナット８２で、上キャップ体５８および下キャップ体５９を前後一対のケース枠５７で挟持した状態で締結するので、ケース枠５７と上キャップ体５８および下キャップ体５９の締結強度を向上し、動力ユニット２１の構造強度を増強できる。ケース枠５７の主面壁６０がたわみ変形し、あるいは、上キャップ体５８および下キャップ体５９がケース枠５７に対してずれ動くこともない。
【００２７】
左右一対の上枠受部６８と、両上枠受部６８どうしを接続する橋絡部６９で上キャップ体５８を構成し、左右の上枠受部６８の間にワイヤー繰出し窓７１を開口した。さらにワイヤー２４の部分円弧状のワイヤー巻装面の上周面を、ワイヤー繰出し窓７１内に大きく露出させるようにした。こうした動力ユニット２１によれば、戸パネル２を開閉するとき、ワイヤー２４が左右の上枠受部６８に接触して擦れるのを確実に防止して、ワイヤー２４の表面のコーティングが摩滅するのを避けることができる。従って、胴部３２に巻込んだワイヤー２４どうしが絡まるのを防止して、円滑にワイヤー２４を繰出すことができる。例えば、戸パネル２が開放されるときは、ワイヤードラム２３と取付け金具４６を結ぶワイヤー２４の角度が徐々に小さくなり、これに伴いワイヤー２４のワイヤー巻装面における繰出し位置が徐々に変動する。そのため、ワイヤー繰出し窓７１の左右幅が小さい場合には、ワイヤー２４が左右の上枠受部６８に接触し擦られてしまうが、こうした不具合を一掃できる。
【００２８】
ガイドレール１の内部にシリンダー型のエアーダンパー２２を配置した自閉装置では、戸パネル２の閉じ端側を支持するランナー３とローラー９１でシリンダー本体８８を支持して、ランナー３と同行移動できるようにした。こうした自閉装置によれば、シリンダー本体８８をガイドレール１から浮離れた状態で支持できるので、シリンダー本体８８がランナー３と同行移動するときガイドレール１と擦れあって摩擦抵抗となり、あるいは騒音が発生するのを解消できる。また、戸パネル２の閉じ端側を支持するランナー３のローラー枠１６を左右に貫く状態でピストンロッド８９を配置するので、ピストンロッド８９が占めるスペースとランナー３が移行するスペースを共有化できる。従って、ガイドレール１内にエアーダンパー２２が収容してあるにもかかわらず、ランナー３のみを走行案内する断面Ｃ字形の汎用型のガイドレール１を使用して自閉装置を構成することができ、レール構造が特殊化しコストが嵩むのを解消できる。さらに、磁石連結具９３をピストンロッド８９の突端とガイドレール１の閉じ端との間に設けるので、ガイドレール１に固定した磁石あるいは鉄板がランナー３の走行の邪魔になるのを防止でき、ガイドレール１が大形化するのを解消できる。ローラー９１の開放端側に設けたガイドプーリー９６は、戸パネル２が開閉するときワイヤー２４の中途部を受け止めて、ワイヤー２４がロッドランナー１１７と接触するのを防いで、ワイヤー２４の操出し、および巻込みを円滑化する。
【００２９】
戸パネル２のダンパー装着部１１５にシリンダー型のエアーダンパー２２を配置した自閉装置においては、ランナー３とロッドランナー１１７をガイドレール１で移行案内すればよいので、断面Ｃ字形の汎用型のガイドレール１を使用して自閉装置を構成することができる。また、磁石連結具９３およびワイヤー２４の端部の固定構造（取付け金具４６）は、ランナー３のローラー１５の移行軌跡を避けた位置に設ければよいので、磁石連結具９３および固定構造を設けることで、ガイドレール１のレール構造が特殊化しコストが嵩むのを解消できる。ロッドランナー１１７の開放端側に設けたガイドプーリー９６は、戸パネル２が開閉するときワイヤー２４の中途部を受止めて、ワイヤー２４がロッドランナー１１７と接触するのを防いで、ワイヤー２４の操出し、および巻込みを円滑化する。
【図面の簡単な説明】
【００３０】
【図１】本発明の実施例１に係る動力ユニットの縦断正面図である。
【図２】実施例１に係る自閉装置の適用例を示す正面図である。
【図３】ガイドレールおよびランナーの構造を示す縦断側面図である。
【図４】実施例１に係る自閉装置の概略を示す縦断正面図である。
【図５】実施例１に係る動力ユニットの分解斜視図である。
【図６】実施例１に係るぜんまいばねおよびワイヤードラムの分解斜視図である。
【図７】図１におけるＡ−Ａ線断面図である。
【図８】実施例１に係る動力ユニットの中央縦断側面図である。
【図９】実施例１に係る自閉装置の施工手順を示す説明図である。
【図１０】弾性係合体の変形例を示す縦断正面図である。
【図１１】実施例２に係る自閉装置の概略を示す縦断正面図である。
【図１２】自閉装置の構造の一部を変更した変形例を示す縦断正面図である。
【図１３】図１２に係る自閉装置のワイヤー連結構造を示す分解正面図である。
【図１４】図１２に係る自閉装置のガイドプーリーを示す平面図である。
【図１５】図１２に係るランナーのキャッチ構造を示す正面図である。
【図１６】図１２に係るランナーのキャッチ構造を示す横断平面図である。
【図１７】図１２に係るランナーがキャッチ構造で捕捉された状態を示す横断平面図である。
【図１８】図１７におけるＢ−Ｂ線断面図である。
【図１９】動力ユニットの別の実施例を示す分解正面図である。
【発明を実施するための形態】
【００３１】
（実施例１）  図１ないし図９は、本発明に係る自閉装置の実施例１を示す。本発明における前後、左右、上下とは、図２に示す交差矢印と、矢印の近傍の前後・左右・上下の表記に従う。図２において符号１は開口枠の上枠に固定したガイドレール、符号２は戸パネルである。戸パネル２はその上部左右に装着したランナー３を介してガイドレール１で吊下げ支持されて、同レール１に沿って開閉移動できる。戸パネル２は、建材メーカーから市販されている全厚寸法が３０ｍｍの木質系の戸パネルからなり、縦長四角形状の枠体４と、枠体４の内部に配置される芯材５と、枠体４および芯材５の表裏に固定される表面材６で構成してある。符号７はドアハンドル、符号８は床面に固定した振止めローラーである。
【００３２】
図３に示すように、ガイドレール１は下向きに開口する断面Ｃ字状のアルミニウム条材からなり、その下面前後にランナー３を転動案内するレール壁１０を有し、レール内面の前後壁および上壁にランナー３の遊動を規制するリブ１１・１２が設けてある。ランナー３は、戸パネル２の上隅のホルダー１３に装着されるランナー台１４と、前後一対のローラー１５と、ローラー１５を回転自在に軸支するローラー枠１６と、ランナー台１４とローラー枠１６を連結するランナー軸１７などで構成してある。符号１８は戸パネル２の上下高さを調整する調整ねじである。戸パネル２の開放端側を支持するランナー３には、レール壁１０の清掃を行うためのブラシ（清掃体）１９が設けてある（図４参照）。
【００３３】
任意の位置まで開放操作された戸パネル２を、自動的にゆっくりと閉じ操作するために、戸パネル２とガイドレール１との間に自閉装置を設けている。自閉装置は、戸パネル２を閉じ位置へ向かって移行付勢する動力ユニット２１と、ガイドレール１の内部に配置したシリンダー型のエアーダンパー２２で構成する。図５において、動力ユニット２１は、ワイヤードラム２３と、ワイヤードラム２３に巻込み収納されるワイヤー２４と、ワイヤードラム２３の胴部内に収容したぜんまいばね２５と、ワイヤードラム２３を収容するドラムケース２６と、ワイヤードラム２３を回転自在に軸支するドラム軸２７などで構成する。
【００３４】
図６において、ワイヤードラム２３は、円筒状の胴部３２とフランジ部３３を一体に備えたドラム本体３０と、胴部３２の開口面の側に４個のビス（ねじ）３４で締結固定されるフランジ体３１で構成してあり、胴部３２の内部のばね室３５に先のぜんまいばね２５が収容してある。胴部３２の筒壁には、ワイヤー２４の巻込み始端を装着するための連結凹部３６と、ぜんまいばね２５の外端を係止するための掛止溝３７が形成してある。また、ドラム本体３０の中央には軸受穴３８が形成され、胴部３２の開口端の左右に位置決めピン３９が突設してある。フランジ体３１は円盤状に形成してあり、その中央に軸受穴３８が形成され、ドラム本体３０に接合される側に胴部３２が嵌まり込む浅い凹部４０が形成してある。位置決めピン３９を凹部４０の左右の位置決め穴４１に係合し、胴部３２を凹部４０に嵌め込んだ状態で、４個のビス３４をフランジ体３１の側から胴部３２にねじ込むことにより、フランジ体３１をドラム本体３０に固定できる。図８に示すように、ビス３４は皿ビスで形成してあり、締結状態におけるビス３４の操作頭部をフランジ体３１に凹み形成したビス座に沈み込ませることにより、ワイヤードラム２３の前後寸法が大きくなるのを避けている。後述するケース枠５７と正対するドラム本体３０およびフランジ体３１の前後面には、ボス部４３が形成してある（図５参照）。ボス部４３の膨出寸法は０．５ｍｍとした。
【００３５】
ワイヤー２４は、ステンレス製のワイヤーからなり、その表面にポリアミド樹脂がコーティングしてある。ワイヤー２４の巻始端にはエンド金具４５がかしめ固定してあり、ワイヤー２４の操出し端には取付け金具４６が固定してある。取付け金具４６は、金属製の一対の挟持板４７と、挟持板４７を締結する４個のビス４８とからなり、両挟持板４７の接合面の右半部に連結溝４９が渦巻き状に凹み形成してある。ワイヤー２４の操出し端を先の連結溝４９に装填してビス４８をねじ込むことにより、ワイヤー２４の繰出し端に取付け金具４６を固定できる。金具４６の左半部にはビス挿通穴が形成してある。ワイヤー２４の全長は１５００ｍｍとして、従来の動力ユニットのワイヤーの全長（２０００ｍｍ）に比べて短くした。このようにワイヤー２４の全長を短くすると、ぜんまいばね２５の巻込み量を減らすことができ、さらに、ぜんまいばね２５が限界位置まで巻締められた状態における張力を小さくすることができる。
【００３６】
ぜんまいばね２５はＳ字ぜんまいばねで形成してある。図６に示すようにＳ字ぜんまいばねは、第１巻装部５１と第２巻装部５２を有し、自由状態時における両巻装部５１・５２のばね体の巻込み方向は逆向きになっている。第１巻装部５１の巻中心に外掛止爪５３が折曲げ形成され、第２巻装部５２の巻中心に内掛止爪５４が折曲げ形成してある。内掛止爪５４をドラム軸２７の掛止溝８４に係止し、自由状態時の巻姿とは逆向きにばね体をドラム軸２７に巻込み、外掛止爪５３を胴部３２の掛止溝３７に係止することにより、ぜんまいばね２５を渦巻き状に巻装して、ワイヤードラム２３をワイヤー巻込み方向へ回転付勢できる。Ｓ字ぜんまいばねは、ばね体が単に渦巻き状に巻込んである通常の接触形ぜんまいばねに比べて、ばねが巻締まる場合、あるいはばねが拡張するときのばね張力を均一化できる特性を備えている。また、ばね体の幅寸法を一定とした場合には、通常の接触形ぜんまいばねに比べてより大きな張力を発揮できるので、Ｓ字ぜんまいばねで形成したぜんまいばね２５は、通常の接触形ぜんまいばねに比べてばね体の幅寸法を小さくできる。なお、ぜんまいばね２５の幅寸法は１０．２８ｍｍとした。
【００３７】
ドラムケース２６は、ワイヤードラム２３の前後面を覆う金属板材製の一対のケース枠５７と、一対のケース枠５７の間に固定されるプラスチック製の上キャップ体５８および下キャップ体５９で構成してある。つまり、ドラムケース２６は、一対のケース枠５７を主たる耐力構造体にして構成してある。図５に示すようにケース枠５７は、ワイヤードラム２３の前後面を覆う主面壁６０と、主面壁６０に連続して折曲げられる左右一対の側壁６１と、側壁６１の上下に隣接して主面壁６０から段落ち状に折曲げ形成した締結座６２を備えたプレス成型品からなる。主面壁６０の中央の上下には、ドラム軸２７を固定するためのピン穴６３が形成してあり、各締結座６２にはビス用の挿通穴が形成してある。動力ユニット２１の厚み寸法をできるだけ小さくしながら、ドラムケース２６の構造強度を充分なものとするために、ケース枠５７は厚みが１ｍｍのステンレス鋼板を素材にして形成してある。ケース枠５７はドラムケース２６の主たる耐力構造体として機能しており、その主面壁６０と側壁６１が協同してドラムケース２６の剛性を高めている。なお、一対のケース枠５７は同じ部品であって、前後の別なく使用することができる。
【００３８】
上キャップ体５８は、一対のケース枠５７で前後に挟持される左右一対の上枠受部６８と、両枠受部６８の上部どうし接続する門型の橋絡部６９を備えたプラスチック成型品からなり、上枠受部６８から橋絡部６９にわたって部分円弧状のドラム保持面７０が形成してある。上枠受部６８の間には、左右横長のワイヤー繰出し窓７１が設けてある。左右の上枠受部６８の前後面には、ケース枠５７の締結座６２を受止める締結凹部７２が凹み形成されて、締結凹部７２の間にビス挿通穴７３が前後貫通状に形成してある。
【００３９】
下キャップ体５９は、一対のケース枠５７で挟持される下枠受部７５と、同枠受部７５から横向きに突設される一対の装着座７６を備えたプラスチック成型品からなり、下枠受部７５の上面に部分円弧状のドラム保持面７７が形成してある。下枠受部７５の前後面の左右にも、上キャップ体５８と同様の締結凹部７２と、ビス挿通穴７３が前後貫通状に形成してある。下枠受部７５の下面の左右には逃げ凹部７８が形成してある。また、装着座７６の下隅には、面取り面状のガイド面が形成してある。
【００４０】
前後のケース枠５７と上キャップ体５８および下キャップ体５９は、締結座６２とビス挿通穴７３に挿通したビス８１とナット８２からなるねじ構造で締結固定される。この締結状態における締結座６２、およびビス８１の操作頭部とナット８２は、図７に示すように締結凹部７２内に収容されており、これにより、ビス８１の操作頭部およびナット８２によってドラムケース２６の前後寸法が大きくなるのを防いでいる。また、先のねじ構造で締結固定されたケース枠５７は、その側壁６１の端縁同士が接当して突っ張り合うことにより、ドラムケース２６の構造強度を高めている。
【００４１】
ドラム軸２７は、丸軸状のプラスチック成型品からなり、軸の一端から他端へ向かってぜんまいばね２５の内掛止爪５４を係止するための掛止溝８４が水平のスリット状に形成してあり、前後の軸端の上下に係合ピン８５が形成してある。係合ピン８５の突出寸法は、ケース枠５７の主面壁６０の厚みに一致している。ドラム軸２７をワイヤードラム２３の軸受穴３８に差込んだ状態で、係合ピン８５をケース枠５７のピン穴６３に係合することにより、ドラム軸２７をケース枠５７に固定して、ワイヤードラム２３を回転自在に支持することができる。
【００４２】
動力ユニット２１は以下の手順に従って組立てる。ドラム本体３０のばね室３５の内部にぜんまいばね（Ｓ字ぜんまいばね）２５を収容し、その外掛止爪５３を胴部３２の掛止溝３７に係合する。作業台に載置した一方のケース枠５７のピン穴６３にドラム軸２７のピン８５を係合してドラム軸２７を起立させ、その上端に掛止溝８４の端部を露出させる。フランジ部３３が先のケース枠５７と正対する状態で、ドラム本体３０の軸受穴３８をドラム軸２７に挿嵌しながら、ぜんまいばね２５の内掛止爪５４を掛止溝８４に差し込み係合する。この状態でドラム本体３０をドラム軸２７の回りに数回回転させて、ぜんまいばね２５に適度の初期張力を付与し、ドラム本体３０を回転不能に固定保持する。
【００４３】
次に、ワイヤー２４のエンド金具４５を連結凹部３６に嵌込んで、巻始端を胴部３２に連結したのち、フランジ体３１を胴部３２に接合して位置決めピン３９で位置決めし、４個のビス３４をねじ込んでフランジ体３１をドラム本体３０に固定する。ワイヤー２４を上キャップ体５８のワイヤー繰出し窓７１に通したのち、その繰り出し端に取付け金具４６を組み付け、ワイヤー２４の殆どの部分を胴部３２に巻付ける。作業台に載置したケース枠５７に対して、上キャップ体５８と下キャップ体５９を装着し、さらに残るケース枠５７を両キャップ体５８・５９に組付けて、一対のケース枠５７と両キャップ体５８・５９をビス８１とナット８２で締結固定する。
【００４４】
組立てが完了した状態においては、図８に示すように、ワイヤードラム２３が前後のケース枠５７の内面と微小隙間Ｅを介して正対している。また、ドラム本体３０のフランジ部３３の周面とフランジ体３１の周面は、上下のキャップ体５８・５９のドラム保持面７０・７７と僅かな隙間を介して正対している。動力ユニット２１の上下寸法は５０ｍｍ、装着座７６を含む左右寸法は７０ｍｍであり、全厚寸法Ｗは１８ｍｍである。耐久試験を行って動力ユニット２１の性能を確認したが、戸パネル２の開閉回数が３０万回のとき耐荷重４０ｋｇを満足できた。なお、従来のこの種の動力ユニットにおいては、上記の耐久性を発揮するにはぜんまいばねの幅寸法が２０ｍｍ以上必要で、動力ユニットとして組上げた状態では、全厚寸法が３０ｍｍ以上となってしまう。この実施例においては、ワイヤー繰出し窓７１に露出するワイヤー巻装面の上周面の角度が８０度前後になるようにした。
【００４５】
図４においてエアーダンパー２２は、シリンダー本体８８と、同本体８８に対して出入りするピストンロッド８９と図示していない速度コントローラーなどで構成してある。シリンダー本体８８は連結金具９０を介して閉じ端側のランナー３のローラー枠１６に連結されている。そのため戸パネル２が開閉するとき、シリンダー本体８８はランナー３に同行して移動する。このようなシリンダー本体８８の移動を円滑化するために、シリンダー本体８８の開放端側に前後一対のローラー９１を設け、そのローラー枠９２をシリンダー本体８８に連結している。
【００４６】
上記のように、シリンダー本体８８の両端はランナー３のローラー枠１６とローラー９１のローラー枠９２で、レール壁１０から浮き離れた状態でガイドレール１の内部に収まっている。従って、シリンダー本体８８がランナー３と同行移動するとき、その周面がガイドレール１と擦れあって摩擦抵抗となり、あるいは騒音が発生するのを解消できる。ピストンロッド８９はローラー枠１６を左右に貫通する状態で配置してあり、その突端とガイドレール１の閉じ端との間に磁石連結具９３が設けてある。こうすることで、ピストンロッド８９が占めるスペースとランナー３が移行するスペースを共有化できる。これに伴い、ランナー３のみを走行案内する断面Ｃ字形の汎用型のガイドレール１を使用して自閉装置を構成することができ、ガイドレール１内にエアーダンパー２２が収容してあるにもかかわらずレール構造が特殊化しコストが嵩むのを解消できる。磁石連結具９３は、ピストンロッド８９の突端に固定した磁石９４とガイドレール１の閉じ端に固定した鉄板９５で構成してあり、戸パネル２が閉じ位置から開放途中位置まで開放移動するとき、ピストンロッド８９を移動不能に吸着保持する。ローラー枠９２の開放端側には、ワイヤー２４の中途部を受止めるガイドプーリー９６が回転自在に支持してある。
【００４７】
上記の動力ユニット２１の戸パネル２に対する施工を容易化するために、図４に示すように、戸パネル２の上面の開放端寄りにばね装着凹部１０１を凹み形成し、その底壁に弾性係合体１０２をビス１０３で固定している。図１に示すように、弾性係合体１０２は、ベース１０４の上面左右に一対の弾性腕１０５を折曲げて形成してあり、弾性腕１０５の上端に装着座７６の上面と係合する抜止爪１０６が一体に設けてある。ばね装着凹部１０１は、木工機械で枠体４に穴加工を施して形成するか、枠体４をばね装着凹部１０１の形成部分に対応して分断して形成することができる。弾性係合体１０２は板バネ材で形成してある。
【００４８】
次に、自閉装置の施工手順を図９に基づき説明する。まず、図９（ａ）に示すようにガイドレール１に一対のランナー３と、両端がローラー枠１６・９２に連結してあるエアーダンパー２２を組込み、ガイドレール１を開口枠の上枠にビス１０９で締結し、鉄板９５をガイドレール１にビス１１０で固定する。さらに、図９（ｂ）に示すようにワイヤー２４の繰出し端に固定した取付け金具４６をビス１１１でガイドレール１に固定する。図４に示すように、戸パネル２にはその上部両隅の装着凹部に嵌め込んだホルダー１３をビス１１２で固定し、ばね装着凹部１０１の底壁に弾性係合体１０２をビス１０３で固定しておく。この状態の戸パネル２を起立させ、その下端に設けた振止め溝を床面に固定した振止めローラー８に係合し、図９（ｃ）に示すように、動力ユニット２１を戸パネル２の上方からばね装着凹部１０１に嵌込んで、装着座７６を弾性腕１０５に圧嵌係合する。最後に左右のランナー３のランナー台１４を、外側方からホルダー１３に差込み係合して、戸パネル２をガイドレール１に吊込む。なお、メンテナンスを行う場合には、上記の施工手順を逆の順番で行うことにより、エアーダンパー２２やランナー３をガイドレール１から簡単に分離することができる。動力ユニット２１は、弾性腕１０５をドライバーなどの工具で拡開変形するだけで、弾性係合体１０２から容易に分離できる。
【００４９】
以上のように構成した自閉装置によれば、動力ユニット２１の全厚寸法Ｗを１８ｍｍまで幅狭にできるうえ、外形寸法も小さくできる。従って、動力ユニット２１を建材メーカーから市販されている厚み寸法が２８〜３２ｍｍの木質系の戸パネル２にも広範に適用して、自閉装置を構成することができる。動力ユニット２１を薄型化できた要因は、第１にぜんまいばね２５のばね幅を従来に比べて小さくし、さらにワイヤー２４の繰出し量を小さくしてばね２５の巻込み量を減少した点にある。また、ぜんまいばね２５のばね幅が小さくなるのに伴って、充分なばね特性が得られにくくなるのを、Ｓ字ぜんまいばねを自由状態時の巻姿とは逆向きに巻込んで、ばね幅が大きなぜんまいばねと同等程度のばね特性を発揮できるようにした点にある。
【００５０】
ドラムケース２６をステンレス板材製の一対のケース枠５７と上下のキャップ体５８・５９で構成して、厚みの小さなケース枠５７をドラムケース２６の主たる耐力構造体として機能させ、さらに、主面壁６０と側壁６１が協同してドラムケース２６の剛性を高める構造とした点にある。加えて、一対のケース枠５７と上キャップ体５８および下キャップ体５９を、ねじ構造で締結固定した状態において、前後のケース枠５７の側壁６１同士が接当して、ドラムケース２６の剛性をさらに高めるようにした。また、締結状態における締結座６２、およびビス８１の操作頭部とナット８２を、締結凹部７２内に収容して、ビス８１の操作頭部およびナット８２によって、動力ユニット２１の全厚寸法が増加するのを解消した。このように、厚み寸法をより小さくするために、各部の構造を限界ぎりぎりまで追求しながら、充分な構造強度を発揮できるにすることで、動力ユニット２１を薄型化し、その全厚寸法Ｗを１８ｍｍまで幅狭にできた。
【００５１】
上記構成の自閉装置によれば、戸パネル２に形成したばね装着凹部１０１の底壁に弾性係合体１０２を固定し、ワイヤー２４の繰出し端に固定した取付け金具４６をガイドレール１に予め固定しておくことにより、動力ユニット２１の取付けを簡便にしかも速やかに行える。詳しくは、動力ユニット２１を戸パネル２の上方からばね装着凹部１０１に嵌込んで、装着座７６を弾性腕１０５に圧嵌係合するだけで、動力ユニット２１を戸パネル２に固定できる。従って、動力ユニット２１を支持するためのブラケットやホルダーを別途設ける必要がなく、さらに、動力ユニット２１をブラケットやホルダーに固定する締結構造も省略できるので、施工やメンテナンスに要する手間と時間を節約できる。
【００５２】
また、動力ユニット２１は、ワイヤー２４の操出方向が右である場合と左である場合の、いずれの場合にも支障なく適用できるので、左右勝手が異なる戸パネル２に共通して適用でき、その分だけ低コスト化できる。戸パネル２が開放されるとき、ワイヤードラム２３と取付け金具４６を結ぶワイヤー２４の角度は徐々に小さくなり、これに伴いワイヤー２４のワイヤー巻装面における繰出し位置が徐々に変動する。しかし、ワイヤー２４は、その部分円弧状のワイヤー巻装面の上周面がワイヤー繰出し窓７１内に大きく露出させてあるので、先の角度が変動したとしても、ワイヤー２４が左右の上枠受部６８に接触して擦れるのを確実に防止して、ワイヤー２４の表面のコーティングが摩滅するのを避けることができる。従って、胴部３２に巻装したワイヤー２４どうしが絡まるのを防止して、円滑にワイヤー２４を繰出すことができる。
【００５３】
弾性係合体１０２は、ばね板材で形成する必要はなく、図１０に示すようにプラスチック成型品で構成することができる。弾性係合体１０２は、ベース１０４の上面左右に一対の弾性腕１０５を突設し、弾性腕１０５の左右に締結座を張出して形成してある。この場合には、左右に張出した締結座をビス１０３で締結するので、下キャップ体５９の下面の逃げ凹部７８を省略することができる。他は、実施例１の弾性係合体１０２と同じであるので、同じ部材に同じ符号を付して、その説明を省略する。以下の実施例においても同じとする。
【００５４】
（実施例２）  図１１は、本発明に係る自閉装置の実施例２を示す。そこでは、戸パネル２の上隅に装着した左右のランナー台１４の間に、左右に長い凹部を形成し、凹部の開放端側をばね装着凹部１０１とし、これより閉じ端側の凹部をダンパー装着部１１５として、その内部にエアーダンパー２２を配置した。シリンダー本体８８はダンパー装着部１１５の底壁に固定した左右一対のブラケット１１６に固定されており、ピストンロッド８９は戸パネル２の閉じ端に向かって突出させてある。ピストンロッド８９の突端には、ガイドレール１で転動案内されるロッドランナー１１７が連結してある。
【００５５】
ロッドランナー１１７は、レール壁１０で転動案内される合計４個のローラー１１８と、これらのローラー１１８を回転自在に支持するランナーボディ１１９で構成してあり、ロッドランナー１１７の開放端側には、ワイヤー２４を受止めるガイドプーリー９６が配置してある。ガイドレール１の中途部とロッドランナー１１７の閉じ端側の間に磁石連結具９３が設けてある。この実施例では、ガイドレール１の側に磁石９４を固定し、ロッドランナー１１７の側に鉄板９５を固定した。戸パネル２を閉じた状態では、鉄板９５が磁石９４で吸着されており、戸パネル２が閉じ位置から開放途中位置まで開放移動するとき、ピストンロッド８９を移動不能に吸着保持する。
【００５６】
なお、戸パネル２を開放操作すると、シリンダー本体８８が戸パネル２に同行して移動するが、ピストンロッド８９が限界位置まで引出された後は、鉄板９５が磁石９４から分離して戸パネル２と同行移動する。このとき、閉じ端側のランナー３はロッドランナー１１７の閉じ端側に隣接しているので、ランナー３がロッドランナー１１７に追突することはなく、両者３・１１７は並走した状態で開放移動する。ランナー３は、前後一対のローラー１５と、上面および左右側面が開口する逆門型のローラー枠１６を備えており、先の磁石９４と鉄板９５はローラー１５の対向空間に臨んで配置してある。この実施例においては、閉じ端側のランナー３にもブラシ１９を設けるようにした。
【００５７】
（変形例）  図１２ないし図１８は、実施例１の自閉装置の構造の一部を変更した変形例を示している。そこでは、図１２に示すように、ブラシに換えてフェルト製の前後一対のローラー（清掃体）１９でレール壁１０の清掃を行うようにした。そのために、開放端側のローラー枠１６をプラスチック成型品で形成して、ローラー１９を支持する腕部およびローラー軸をローラー枠１６と一体に形成した。閉じ端側のローラー枠１６はプレス成型品からなり、ローラー１９を支持するローラーブラケット１２１をローラー枠１６に締結固定し、そのローラー軸にフェルト製のローラー１９を回転自在に装着した。図１８に示すように、ローラーブラケット１２１は前後一対の腕部の上端にローラー枠１６の連結壁を係合するための連結枠部１２２を設け、その上面の前後に一対の係合リブ１２３を設けたプラスチック成型品からなる。
【００５８】
図１３に示すようにワイヤー２４の操出し端にリング状の掛止部２４ａを形成し、ガイドレール１に締結した取付け金具４６に先の掛止部２４ａを係止して連結するようにした。取付け金具４６はガイドレール１に締結される座部とフック部４６ａを一体に備えており、フック部４６ａに先の掛止部２４ａが連結してある。このように、ワイヤー２４の操出し端の掛止部２４ａをフック部４６ａに掛止連結すると、ワイヤー２４の操出し角度の違いに応じて、掛止部２４ａをフック部４６ａに対して傾動させることができる。従って、戸パネル２を閉じた状態において、ワイヤードラム２３の真上に取付け金具４６が配置してあったとしても、ワイヤー２４の取付け金具４６との連結端が屈折し変形するのを解消できる。
【００５９】
また、自閉装置の施工時には、戸パネル２に形成したばね装着凹部１０１の底壁に弾性係合体１０２を固定し、取付け金具４６の座部をガイドレール１に予め固定しておく。この状態で、ワイヤー２４の繰出し端に形成したリング状の掛止部２４ａを、取付け金具４６のフック部４６ａに掛止連結し、さらに、動力ユニット２１の装着座７６を弾性係合体１０２に圧嵌係合すればよいので、施工の手間を省いて、動力ユニット２１の取付けを簡便にしかも速やかに行える。
【００６０】
図１４に示すように、ガイドプーリー９６のプーリー周面の前後中央にワイヤー２４を受入れる溝９６ａを形成し、溝９６ａで区分された前後のプーリー周面９６ｂを、溝９６ａへ向かって下り傾斜させた。こうしたガイドプーリー９６によれば、ワイヤードラム２３におけるワイヤー２４の繰り出し位置が前後に変化する場合でも、ワイヤー２４をガイドプーリー９６の溝９６ａで受止めて、ワイヤー２４の操出しおよび巻き込みを整然と行うことができる。
【００６１】
戸パネル２を動力ユニット２１の閉じ付勢力に抗して開放位置に位置保持するために、ガイドレール１と閉じ端側のランナー３との間にランナーキャッチャーを設けている。ランナーキャッチャーは、ガイドレール１の上壁に締結固定されるキャッチ体１２４と、先に説明したローラーブラケット１２１の係合リブ１２３とで構成する。キャッチ体１２４は、締結座１２５と前後一対のキャッチ腕１２６を一体に備えたステンレス薄板製のプレス金具からなり、キャッチ腕１２６の基端寄りに係合リブ１２３と係合する段部１２７を備えている。符号１２８はナット体、符号１２９はナット体１２８にねじ込まれるビスである。戸パネル２が開放端の近傍まで開放操作されると、キャッチ腕１２６の腕端が前後一対の係合リブ１２３の間に入込み、やがて係合リブ１２３がキャッチ腕１２６を互いに接近する向きに弾性変形させながら段部１２７に落込み係合する（図１７参照）。戸パネル２を閉じる場合には、戸パネル２を閉じ端へ向かって移動させ、キャッチ腕１２６を互いに接近する向きに弾性変形させて、係合リブ１２３と段部１２７の係合を解除する。以後は、動力ユニット２１のばね力で戸パネル２を閉じ操作することができる。
【００６２】
図１９は動力ユニット２１の別の実施例を示す。そこでは、上キャップ体５８を左右一対のキャップブロック５８ａで構成し、両キャップブロック５８ａの上面側を前後一対の蓋体１３１で塞ぐようにした。蓋体１３１は二折りにされた蓋壁１３２と、蓋壁１３２の前縁（または後縁）に折曲げられた左右一対の係合爪１３３を一体に備えたプレス金具からなり、係合爪１３３に突起１３４が形成してある。この突起１３４をケース枠５７の上部に設けた係合穴１３５に係合した状態で、前後一対のケース枠５７とキャップブロック５８ａをビス８１およびナット８２で締結することにより、蓋体１３１をケース枠５７およびキャップブロック５８ａと一体化できる。この状態の前後の蓋体１３１は、二折りにされた蓋壁１３２の折曲げ端同士が小さな隙間を介して対向しており、この隙間からワイヤー２４がドラムケース２６の外へ繰出してある。ワイヤー２４には、ワイヤードラム２３に巻込まれる向きの付勢力が常に作用しているが、この付勢力に抗して掛止部２４ａを受け止めて、掛止部２４ａがワイヤードラム２３に巻込まれるのを防ぐために、両キャップブロック５８ａの上面側を前後一対の蓋体１３１で塞いでいる。因みに、一対の蓋体１３１の間の隙間寸法は、ワイヤー２４の直径より僅かに大きいだけであり、掛止部２４ａのかしめ部分が先の隙間を通過することはない。
【００６３】
先に説明した動力ユニット２１は、以下の形態で実施することができる。
動力ユニット２１は、ワイヤードラム２３と、ワイヤードラム２３の胴部３２に巻込み収納されるワイヤー２４と、ワイヤードラム２３の胴部３２内に収容されて同ドラム２３をワイヤー巻込み方向へ回転付勢するぜんまいばね２５と、ワイヤードラム２３を収容するドラムケース２６と、ドラムケース２６に固定されてワイヤードラム２３を回転自在に軸支するドラム軸２７で構成されており、
ワイヤードラム２３は、円筒状の胴部３２とフランジ部３３を一体に備えたドラム本体３０と、胴部３２の開口面の側に複数のねじ３４で締結固定されるフランジ体３１で構成されており、
ドラムケース２６は、ワイヤードラム２３の前後面を覆う金属板材で形成した一対のケース枠５７と、一対のケース枠５７で固定した上キャップ体５８および下キャップ体５９で構成されており、
ドラム軸２７の軸端に設けた複数の係合ピン８５を、前後のケース枠５７に設けた複数のピン穴６３に係合して、ドラム軸２７がケース枠５７に回転不能に固定してあるぜんまい式の動力ユニット。
【００６４】
ぜんまいばね２５はＳ字ぜんまいばねで形成されており、
Ｓ字ぜんまいばねの自由状態時の巻姿とは逆向きにばね体をドラム軸２７に巻込んで、ぜんまいばね２５が胴部３２内に渦巻き状に巻装してあるぜんまい式の動力ユニット。
【００６５】
ケース枠５７が、ワイヤードラム２３の前後面を覆う主面壁６０と、主面壁６０に連続して折曲げられる左右一対の側壁６１を備えており、
一対のケース枠５７と、両ケース枠５７で挟持した上キャップ体５８および下キャップ体５９を、ねじ構造で締結固定した状態において、前後のケース枠５７の側壁６１同士が接当しているぜんまい式の動力ユニット。
【００６６】
ケース枠５７の側壁６１の上下に隣接して、主面壁６０から段落ち状に折曲げ形成した締結座６２が設けられており、
上キャップ体５８の左右の上枠受部６８の前後面と、下キャップ体５９の下枠受部７５の前後面の左右のそれぞれに、前記締結座６２を受止める締結凹部７２が凹み形成されて、締結凹部７２の間に前後貫通状のビス挿通穴７３が形成されており、
前後のケース枠５７と上キャップ体５８および下キャップ体５９は、前記締結座６２とビス挿通穴７３に挿通したビス８１とナット８２からなるねじ構造で締結固定されており、
締結状態における前記ビス８１の操作頭部とナット８２が、前記締結凹部７２内に収容されているぜんまい式の動力ユニット。
【００６７】
フランジ体３１を締結固定する前記ねじ３４が皿ビスで形成されて、締結状態における皿ビスの操作頭部がフランジ体３１のビス座に沈み込ませてあるぜんまい式の動力ユニット。
【００６８】
上キャップ体５８は、前後一対のケース枠５７で挟持される左右一対の上枠受部６８と、両上枠受部６８の上部どうしを接続する橋絡部６９とを備えており、
上キャップ体５８の左右の上枠受部６８の間がワイヤー繰出し窓７１として開口されており、
ワイヤー２４はドラム本体３０の胴部３２に巻装されて、部分円弧状のワイヤー巻装面の上周面がワイヤー繰出し窓７１内に露出させてあるぜんまい式の動力ユニット。
【００６９】
ワイヤー２４の巻始端にエンド金具４５が固定されており、
円筒状の胴部３２の肉壁内に連結凹部３６と掛止溝３７が形成されており、
エンド金具４５が連結凹部３６に係合連結され、ぜんまいばね２５の外掛止爪５３が掛止溝３７に係合してあるぜんまい式の動力ユニット。
【００７０】
本発明の動力ユニットは、その厚み寸法が小さいので、とくに建材メーカーから市販されている木質系の戸パネル２に好適に適用できるが、比較的軽量の金属製の戸パネル２に適用してもよい。また、本発明の自閉装置はアルミニウムサッシュと板ガラスで構成したガラス戸に適用することができる。弾性係合体１０２を下キャップ体５９の側に固定し、ばね装着凹部１０１の底壁に弾性係合体１０２と係合する装着座７６を設けることができる。ケース枠５７と上キャップ体５８および下キャップ体５９は、ビスで締結する以外に、かしめピンで締結固定してあってもよい。上記の実施例では、戸パネル２が吊車式のランナー３で支持してある場合について説明したが、本発明に係る自閉装置は、戸パネル２が戸車式のランナー３で支持してある場合にも適用できる。また、戸パネル２は吊車式のランナー３以外の走行体で支持してあってもよい。
【符号の説明】
【００７１】
１  ガイドレール
２  戸パネル
３  ランナー
２１  動力ユニット
２２  エアーダンパー
２３  ワイヤードラム
２４  ワイヤー
２５  ぜんまいばね
２６  ドラムケース
２７  ドラム軸
３２  胴部
５７  ケース枠
５８  上キャップ体
５９  下キャップ体
【要約】
【課題】厚み寸法が小さな木質系の戸パネルにも広範に適用できる、薄型化され、さらに小型化された動力ユニットを備えた引戸の自閉装置を提供する。
【解決手段】厚み寸法が２８ｍｍから３２ｍｍの木質系の戸パネル２が、吊下げ支持してある引き戸を適用対象とする。自閉装置は、戸パネル２の上部のばね装着凹部１０１に装着されて戸パネル２を閉じ付勢する動力ユニット２１と、ガイドレール１に収容されて戸パネル２を制動するシリンダー型のエアーダンパー２２を備えている。動力ユニット２１は、ワイヤードラム２３と、胴部３２に巻込んだワイヤー２４と、胴部３２に収容したぜんまいばね２５と、ドラムケース２６と、ドラム軸２７で構成する。ドラムケース２６は、金属板材で形成した一対のケース枠５７と、上キャップ体５８および下キャップ体５９で構成する。動力ユニット２１の全厚寸法Ｗを１８ｍｍから２２ｍｍとした。
【選択図】図１【図１】
0005851058.tif 000002
【図２】
0005851058.tif 000003
【図３】
0005851058.tif 000004
【図４】
0005851058.tif 000005
【図５】
0005851058.tif 000006
【図６】
0005851058.tif 000007
【図７】
0005851058.tif 000008
【図８】
0005851058.tif 000009
【図９】
0005851058.tif 000010
【図１０】
0005851058.tif 000011
【図１１】
0005851058.tif 000012
【図１２】
0005851058.tif 000013
【図１３】
0005851058.tif 000014
【図１４】
0005851058.tif 000015
【図１５】
0005851058.tif 000016
【図１６】
0005851058.tif 000017
【図１７】
0005851058.tif 000018
【図１８】
0005851058.tif 000019
【図１９】
0005851058.tif 000020